(57)【要約】      （修正有）【課題】無線で情報収集装置に給電し、情報収集装置の負荷が小さく、ケーブルの巻き付きも発生せず、給電の安定性が高く、環境条件の影響が小さい情報収集機器を提供する。【解決手段】情報収集機器は、情報収集装置１と、充電ビン２と、無線充電装置と、認識部材と、を備える。充電ビンは、情報収集装置の移動経路に設けられ、無線充電装置は、送信アセンブリ４と、送信アセンブリから送信された電気エネルギーを受信するための受信アセンブリ５と、を含み、送信アセンブリは、充電ビンに設けられ、電源に接続されるために用いられる。受信アセンブリは、情報収集装置に設けられ、蓄電デバイスに接続される。認識部材は、タグと６、タグを読み取ることができるリーダ７と、を含み、タグとリーダのうちの１つは、情報収集装置に設けられ、もう１つは、充電ビン又は充電ビンに対応する情報収集装置の移動経路に設けられる。【選択図】図１
0003232750.tif 000002
【実用新案登録請求の範囲】
【請求項１】
情報収集機器であって、
蓄電デバイスが設けられる情報収集装置と、
前記情報収集装置の移動経路に設けられる充電ビンと、
送信アセンブルと、前記送信アセンブルから送信された電気エネルギーを受信するための受信アセンブルと、を含む無線充電装置であって、前記送信アセンブルは、前記充電ビンに設けられて電源に接続されるように構成され、前記受信アセンブリは、前記情報収集装置に設けられて前記蓄電デバイスに接続される、無線充電装置と、
タグと、前記タグを読み取ることができるリーダと、を含む認識部材であって、前記タグと前記リーダのうちの１つは、前記情報収集装置に設けられ、もう１つは、前記充電ビン又は前記充電ビンに対応する前記情報収集装置の移動経路に設けられる、認識部材と、を備える、情報収集機器。
【請求項２】
前記送信アセンブルは、第１ケーシングと、前記第１ケーシング内に設けられる送信コイルと、を含み、前記情報収集装置は、第２ケーシングを含み、前記受信アセンブリは、前記第２ケーシング内に設けられる受信コイルを含むことを特徴とする
請求項１に記載の情報収集機器。
【請求項３】
前記第１ケーシング内に、放熱装置が更に設けられ、前記放熱装置は、前記送信コイルと並置された第１ファン及び第２ファンを含み、前記送信コイルは、前記第１ファンと前記第２ファンとの間に設けられることを特徴とする
請求項２に記載の情報収集機器。
【請求項４】
前記第１ケーシング及び前記第２ケーシングのうちの少なくとも１つに放熱構造が設けられ、前記放熱構造は、放熱孔、放熱フィン及び放熱チャネルのうちの少なくとも１つを含むことを特徴とする
請求項２に記載の情報収集機器。
【請求項５】
前記第１ケーシングの、前記第２ケーシングに向かう片側に、熱伝導部材が設けられることを特徴とする
請求項２に記載の情報収集機器。
【請求項６】
前記第１ケーシング及び前記第２ケーシングのうちの少なくとも１つ内に温湿度センサが設けられることを特徴とする
請求項２に記載の情報収集機器。
【請求項７】
前記第１ケーシング内に乾燥ボックス、駆虫ボックス又は駆虫灯のうちの少なくとも１つが設けられ、
及び／又は、前記第２ケーシング内に乾燥ボックス、駆虫ボックス又は駆虫灯のうちの少なくとも１つが設けられることを特徴とする
請求項２に記載の情報収集機器。
【請求項８】
ガイドレールを更に備え、前記ガイドレールに前記情報収集装置が接続され、前記ガイドレールに複数の前記充電ビンが設けられ、前記充電ビンは、前記ガイドレールの延伸方向に沿って貫通することを特徴とする
請求項１から７のうちいずれか一項に記載の情報収集機器。
【請求項９】
前記タグは、前記ガイドレールに設けられる無線周波数認識タグであり、前記リーダは、前記情報収集装置に設けられることを特徴とする
請求項８に記載の情報収集機器。
【請求項１０】
前記情報収集装置は、デプスカメラを含むことを特徴とする
請求項１から７のうちいずれか一項に記載の情報収集機器。
【考案の詳細な説明】
【技術分野】
【０００１】
本考案は、牧畜飼育技術分野に関し、特に、情報収集機器に関する。
【背景技術】
【０００２】
牧畜飼育業界の進歩に基づいて、農家は牧畜の成長過程、成長速度に対する関心が益々高まっており、特に、成長速度が速すぎる又は遅すぎる個体に注目している。これにより、全体的な経済的利益を確保する。
【０００３】
牧畜に良好な成長環境を提供し、牧畜の状態に対してタイムリー又はリアルタイムに監視及び測定を行うことは、牧畜飼育業界の発展動向である。牧畜飼育場所において、場所の面積が大きく、牧畜の数が多いため、情報収集装置は、情報収集を行うために、牧畜飼育場所において移動する必要がある。該過程において、電力供給を必要とする。牧畜飼育場所内の環境が悪く、例えば、飼料粉塵、昆虫糞便又はミストなどの汚染が存在するため、情報収集装置に如何に給電するかは、早急に解決すべき課題となる。
【考案の概要】
【考案が解決しようとする課題】
【０００４】
本考案は、従来技術に存在する技術的課題の１つを少なくとも解決することを目的とする。このために、本考案は、情報収集機器を提供する。該情報収集機器は、無線充電の方式で、情報収集装置に給電し、情報収集装置の負荷に及ぼす影響が小さく、ケーブルによる給電に存在する巻き付きの問題が発生することもなく、給電の安定性が高く、環境要件から受ける影響も小さい。
【課題を解決するための手段】
【０００５】
本考案の実施例による情報収集機器は、
蓄電デバイスが設けられる情報収集装置と、
前記情報収集装置の移動経路に設けられる充電ビンと、
送信アセンブルと、前記送信アセンブルから送信された電気エネルギーを受信するための受信アセンブルと、を含む無線充電装置であって、前記送信アセンブルは、前記充電ビンに設けられて電源に接続されるように構成され、前記受信アセンブリは、前記情報収集装置に設けられて前記蓄電デバイスに接続される、無線充電装置と、
タグと、前記タグを読み取ることができるリーダと、を含む認識部材であって、前記タグと前記リーダのうちの１つは、前記情報収集装置に設けられ、もう１つは、前記充電ビン又は前記充電ビンに対応する前記情報収集装置の移動経路に設けられる、認識部材と、を備える。
【０００６】
本考案の１つの実施例によれば、前記送信アセンブルは、第１ケーシングと、前記第１ケーシング内に設けられる送信コイルと、を含み、前記情報収集装置は、第２ケーシングを含み、前記受信アセンブリは、前記第２ケーシング内に設けられる受信コイルを含む。
【０００７】
本考案の１つの実施例によれば、前記第１ケーシング内に、放熱装置が更に設けられ、前記放熱装置は、前記送信コイルと並置された第１ファン及び第２ファンを含み、前記送信コイルは、前記第１ファンと前記第２ファンとの間に設けられる。
【０００８】
本考案の１つの実施例によれば、前記第１ケーシング及び前記第２ケーシングのうちの少なくとも１つに放熱構造が設けられ、前記放熱構造は、放熱孔、放熱フィン及び放熱チャネルのうちの少なくとも１つを含む。
【０００９】
本考案の１つの実施例によれば、前記第１ケーシングの、前記第２ケーシングに向かう片側に、熱伝導部材が設けられる。
【００１０】
本考案の１つの実施例によれば、前記第１ケーシング及び前記第２ケーシングのうちの少なくとも１つ内に温湿度センサが設けられる。
【００１１】
本考案の１つの実施例によれば、前記第１ケーシング内に乾燥ボックス、駆虫ボックス又は駆虫灯のうちの少なくとも１つが設けられ、
及び／又は、前記第２ケーシング内に乾燥ボックス、駆虫ボックス又は駆虫灯のうちの少なくとも１つが設けられる。
【００１２】
本考案の１つの実施例によれば、ガイドレールを更に備え、前記ガイドレールに前記情報収集装置が接続され、前記ガイドレールに複数の前記充電ビンが設けられ、前記充電ビンは、前記ガイドレールの延伸方向に沿って貫通する。
【００１３】
本考案の１つの実施例によれば、前記タグは、前記ガイドレールに設けられる無線周波数認識タグであり、前記リーダは、前記情報収集装置に設けられる。
【００１４】
本考案の１つの実施例によれば、前記情報収集装置は、デプスカメラを含む。
【考案の効果】
【００１５】
本考案の実施例における上記１つ又は複数の技術的解決手段は、少なくとも下記技術的効果の１つを含む。
本考案の実施例が提供する情報収集機器は、情報収集装置と、充電ビンと、無線充電装置と、認識部材と、を備える。情報収集装置を充電する必要があると、認識部材により、情報収集装置が充電ビン内に移動したことを認識した場合、充電を行うことができる。充電過程は、無線充電装置により、非接触式充電を行う。ケーブルによる充電に比べて、情報収集装置の負荷を減少させることができ、ケーブルの巻き付きの問題を避けることもできる。通電スロットと接触子との接触による充電方式に比べて、環境条件による接触箇所の腐食を効果的に避け、充電の安定性を向上させることができ、耐用年数を延長することもできる。
【００１６】
本考案の付加的な態様及び利点は、続く記述中に部分的に示され、そして部分的にはその記述から明らかになるが、または本考案の実行によって知り得る。
【図面の簡単な説明】
【００１７】
【図１】本考案の実施例による情報収集機器の構造を示す概略図である。
【図２】本考案の実施例による情報収集機器のガイドレールに設けられる２つの充電ビンの構造を示す概略図である。
【図３】本考案の実施例による情報収集機器の送信コイル、第１ファン及び第２ファンの相対的位置関係の構造を示す概略図である。
【考案を実施するための形態】
【００１８】
本考案の実施例又は従来技術における技術的解決手段をより明確に説明するために、以下、実施例又は従来技術の記述に必要な図面を簡単に説明する。勿論、下記図面は、本考案の幾つかの実施例であり、当業者は、これらの図面に基づいて、創造的な労力なしに他の図面を得ることもできる。
以下、図面及び実施例を参照しながら、本考案の実施形態を更に詳しく説明する。下記実施例は、本考案を説明するためのものであるが、本考案の範囲を限定するものではない。
【００１９】
本考案の実施例の記述において、用語「上」、「下」、「前」、「後」、「左」、「右」、「垂直」、「水平」、「内」、「外」などにより示される方位又は位置関係は、図面に示す方位又は位置関係であり、本考案の実施例を説明し、記述を簡潔にすることのみを目的としており、該当する装置又は素子が特定の方位を有して、特定の方位で構成して操作しなければならないことを明確的又は暗黙的に示すものではない。従って、本考案の実施例を限定するものと理解されるべきではない。なお、用語「第１」、「第２」は、説明の便宜のために用いられており、相対的な重要性を明確的又は暗黙的に示すものではない。
【００２０】
本考案の実施例の説明において、明確な規定と限定がない限り、用語「互いに接続」、「接続」は広義に理解されるべきであることに留意された。例えば、固定接続であってもよく、取り外し可能な接続又は一体型接続であってもよい。機械的接続であってもよく、電気的接続であってもよい。直接接続であってもよく、中間媒体を介した間接接続であってもよい。当業者にとって、具体的な状況に応じて、上記用語の、本考案の実施例における具体的な意味を理解することができる。
【００２１】
本考案の実施例において、明確的な規定及び限定がない限り、第１特徴が第２特徴の「上」又は「下」にあるとは、第１と第２特徴が直接に接触してもよく、又は第１と第２特徴が中間媒体を介して間接に接触してもよい。また、第１特徴が第２特徴の「上」、「上方」又は「上面」にあるとは、第１特徴が第２特徴の真上及び斜め上にあることを含むか、或いは、単に第１特徴の水平高さが第２特徴より高いことだけを表す。第１特徴が第２特徴の「下」、「下方」又は「下面」にあるとは、第１特徴が第２特徴の真下及び斜め下にあることを含むか、或いは、単に第１特徴の水平高さが第２特徴より小さいことだけを表す。
【００２２】
本明細書の記述において、参照用語「一実施例」、「幾つかの実施例」、「例」、「具体的な例」又は「幾つかの例」などの説明は、当該実施例又は例に関連して説明される具体的な特徴、構造、材料又は特性が本考案の少なくとも１つの実施例又は例に含まれることを意味する。本明細書において、上記用語の例示的表現は必ずしも、同じ実施形態又は例を指すわけではない。また、説明された具体的特徴、構造、材料或いは特性は、いずれかの１つ或いは複数の実施例又は示例において適切に結合することができる。なお、お互いに矛盾しない限り、当業者は本明細書で説明された異なる実施例或いは例、及び異なる実施例或いは例の特徴を結合および組み合わせすることができる。
【００２３】
本考案の一実施例は、図１から図３に示すように、情報収集機器を提供する。前記情報収集機器は、情報収集装置１と、充電ビン２と、無線充電装置と、認識部材と、を備える。情報収集装置１に蓄電デバイスが設けられ、充電ビン２は、情報収集装置１の移動経路に設けられ、無線充電装置は、送信アセンブリ４と、送信アセンブリ４から送信された電気エネルギーを受信するための受信アセンブリ５と、を含み、送信アセンブリ４は、充電ビン２に設けられて電源に接続されるために用いられ、受信アセンブリ５は、情報収集装置１に設けられて蓄電デバイスに接続される。認識部材は、タグ６と、タグ６を読み取ることができるリーダ７と、を含み、タグ６及びリーダ７のうちの１つは、情報収集装置１に設けられ、もう１つは、充電ビン２又は充電ビン２に対応する情報収集装置１の移動経路（情報収集装置１の移動経路は、下記実施例におけるガイドレール３と理解されてもよい）に設けられ、リーダ７は、タグ６を認識し、情報収集装置１の位置を認識するために用いられる。
【００２４】
情報収集装置１は、飼育場内の牧畜の状態を収集するために用いられ、情報収集装置１は、飼育場内に移動して飼育場内の牧畜の状態を全面的に収集することができる。情報収集装置１の移動過程及び情報収集過程はいずれも給電を必要とする。充電ビン２内の送信アセンブリ４は、情報収集装置１が持つ受信アセンブリ５に給電するために用いられる。受信アセンブリ５は、受信された電気エネルギーを蓄電デバイスに格納する。蓄電デバイスは、情報収集装置１の電気部材（電気部材は、駆動部材、収集部材及び監視部材などの部材を含む）に給電するために用いられる。情報収集装置１は、タグ６とリーダ７のうちの１つを連れて移動する。情報収集装置１は、もう１つの箇所に移動した場合、リーダ７は、タグ６の情報を認識して、情報収集装置１が充電ビン２に移動したかどうかを判定する。情報収集装置１が充電ビン２に移動した場合、運動を停止して充電を行うことができる。
【００２５】
勿論、蓄電デバイスは、残容量計測機能を有する。情報収集装置１の蓄電デバイスに格納された残容量が十分であれば、情報収集装置１は、充電ビン２に入る必要がないか又は充電ビン２内に留まる必要がない。情報収集装置１の蓄電デバイスが充電を必要とする場合のみ、情報収集装置１は、充電ビン２内に留まって充電する。
【００２６】
ここで、タグ６とリーダ７のうちの１つは、情報収集装置１に接続され、もう１つは、充電ビン２又は下記実施例におけるガイドレール３に接続される。タグ６とリーダ７のうちのもう１つがガイドレール３に接続される場合、その接続箇所は、充電ビン２に対応する箇所である。これにより、情報収集装置１が充電ビン２内に移動したかどうかを判定する。
【００２７】
本実施例の情報収集装置は、無線充電の方式で、情報収集装置１の蓄電デバイスに給電する。関連技術におけるケーブルを直接的に電源に接続することで給電するという方式に比べて、本実施例は、充電ビン２内で無線充電を行い、ケーブルを設ける必要がないため、情報収集装置１の移動の負荷を減少させることができ、情報収集装置１の移動過程においてケーブルの巻き付きの問題を発生することもない。ケーブル接続に存在する問題を解決するために、関連技術において、接触子による給電方式を更に提供する。例えば、情報収集装置１の移動経路に沿って、貫通した通電溝を設け、情報収集装置１に通電溝に適応する接触子を設けることで、情報収集装置１の移動過程において接触式通電を実現できることを確保する。また、接触抵抗力が存在し、飼育場内の環境が悪く、例えば、例えば、飼料粉塵、昆虫糞便又はミストなどの汚染が存在するため、環境に露出した通電溝と接触子を腐食しやすくて、通電溝と接触子の耐用年数に影響を及ぼし、給電の安定性にも影響を及ぼす。本実施例は、無線充電方式を用いるため、環境に露出するという問題を避けることができ、情報収集装置１の移動負荷に及ぼす影響が小さく、上記問題を効果的に解決し、情報収集装置１に対する確実な電気エネルギー供給を保証することができ、情報収集装置１の移動負荷を効果的に減少させ、情報収集装置１の耐用年数を延長することもでき、牧畜飼育のコストの低減に寄与し、実用効果がより高い。
【００２８】
本実施例の情報収集機器は、種々の牧畜の飼育に適用され、特に豚の飼育に適用される。これにより、豚の成長過程を監視する。豚の成長速度の取得、出荷日などの予測に寄与し、豚のインテリジェント飼育を実現させる。
【００２９】
一実施例において、図１及び図２に示すように、送信アセンブリ４は、第１ケーシング１２と、第１ケーシング１２内に設けられる送信コイルと、を含み、情報収集装置１は、第２ケーシングを含み、受信アセンブリ５は、第２ケーシング内に設けられる受信コイルを含む。送信コール及び受信コイルはそれぞれ、第１ケーシング１２及び第２ケーシング内に設けられる。ケーシングは、コイルを保護するという役割を果たし、環境汚染による送信コイル及び受信コイルの汚染を減少させ、送信コイル及び受信コイルの耐用年数を延長する。
【００３０】
ここで、送信コイルは、受信コイルの下方に設けられる。受信コイルは、情報収集装置１の底部に設けられるが、情報収集装置１による画像、映像又はデータなどの情報の収集を妨害しない。送信アセンブリと受信アセンブリとの間の電気エネルギー伝送方式は、電磁誘導式、磁界共鳴式又は無線電波式であってもよく、必要に応じて選択されてもよい。第１ケーシング１２と第２ケーシングは、磁気絶縁材料を用いる。これにより、第１ケーシング１２又は第２ケーシングが電気エネルギーの伝送を妨害することを避ける。
【００３１】
一実施例において、図３に示すように、第１ケーシング１２内に放熱装置が更に設けられる。放熱装置は、送信コイルと並置された第１ファン８及び第２ファン９を含み、送信コイルは、第１ファン８と第２ファン９との間に設けられる。ファンにより、第１ケーシング１２内の熱の逸散を進める。第１ケーシング１２の放熱効果を向上させ、送信コイルの運転の安定性を向上させることに寄与する。
【００３２】
ここで、送信コイルの両側にそれぞれ第１ファン８及び第２ファン９が設けられる。これにより、送信コイルの両側の均一な放熱を実現させ、送信コイルの放熱の均一性を向上させる。また、第１ファン８、送信コイル及び第２ファン９は、第２ケーシングの方向に向かって並置され、第２ケーシングの放熱を更に進めることもできる。この場合、第１ケーシング１２に換気口が設けられる。これにより、空気の流動を進める。環境温度及び家畜飼育自体の放熱による影響により、飼育場内の温度が一般的に高く、給電過程においてコイルから発生した熱が放出しにくい。本実施例は、ファンにより空気の流動を進め、放熱効果を向上させる。
【００３３】
一実施例において、第１ケーシング１２及び第２ケーシングのうちの少なくとも１つに放熱構造が設けられる。放熱構造は、放熱孔、放熱フィン及び放熱チャネルのうちの少なくとも１つを含む。放熱構造の設置は、放熱を進めることができる。
【００３４】
放熱構造を放熱装置と組み合わせて利用することができる。例えば、第１ファン８、送信コイル及び第２ファン９は、第２ケーシングの方向に向かって並置される。第１ケーシング１２の、第２ケーシングに向かう側壁に放熱孔が開設される。これにより、ファンを利用して第２ケーシングの放熱を進める。第１ファン８及び第２ファン９はそれぞれ、第２ケーシングに向かう片側から、空気を吸引して、第２ケーシングから離れる片側へ排出すると同時に、第１ケーシング１２及び第２ケーシングに対して放熱を行う。
【００３５】
放熱構造が放熱チャネルである場合、放熱チャネルの入口端又は出口端に送風機が設けられてもよい。これにより、放熱チャネル内の空気の流動を進め、放熱効果を向上させる。
【００３６】
放熱フィンは、第１ケーシング１２及び第２ケーシングの複数の箇所にもうけられてもよく、特に、放熱量が大きい箇所に設けられてもよい。
【００３７】
一実施例において、第１ケーシング１２の、第２ケーシングに向かう片側に熱伝導部材が設けられる。これにより、第１ケーシング１２から放出された熱の導出を進め、情報収集装置１の放熱効率を向上させる。
【００３８】
ここで、熱伝導部材は、熱伝導シリカゲル、グラファイト材料又は相変化蓄熱材料のうちの１つであってもよい。熱伝導部材は、第１ケーシング１２に成形された層構造であってもよく、第１ケーシング１２に接続された板状構造であってもよい。熱伝導部材の構造は、多様であり、必要に応じて選択されてもよい。
【００３９】
本願の実施例における熱伝導部材を上記実施例における放熱装置及び放熱構造と組み合わせて用いることができる。第１ケーシング１２に熱伝導部材を設けた後、第１ケーシング１２に放熱孔を設けなくてもよく、これにより、蚊が第１ケーシング１２に入ってその内部の部材を腐食することを避けることに留意されたい。
【００４０】
一実施例において、第１ケーシング１２及び第２ケーシングのうちの少なくとも１つ内に冷熱シートが設けられる。第１ケーシング１２又は第２ケーシングの内壁に冷熱シートが貼り付けられる。環境温度が高いと、第１ケーシング１２又は第２ケーシングは、放熱降温を必要とする。冷熱シートは、冷房の役割を果たして第１ケーシング１２又は第２ケーシングを降温させる。環境温度が低いと、第１ケーシング１２又は第２ケーシングは、加熱昇温を必要とする。冷熱シートは、加熱を行い、第１ケーシング１２又は第２ケーシングを昇温させる。
【００４１】
昇温や降温に関わらず、いずれも部材の運転の需要を満たすためのものであることに留意されたい。例えば、送信コイルと受信コイルの好適な運転温度、及び蓄電デバイスの好適な蓄電温度などを満たす。
【００４２】
一実施例において、第１ケーシング１２及び第２ケーシングのうちの少なくとも１つ内に温湿度センサが設けられる。温湿度センサは、第１ケーシング１２又は第２ケーシング内の温度及び湿度を監視し、ケーシング内の放熱状態を調節するために用いられる。
【００４３】
第１ケーシング１２内に第１ファン８及び第２ファン９が設けられ、温湿度センサが第１ケーシング１２内の温度が第１所定の温度より高いことを検出した場合、第１ファン８及び第２ファン９は、第１回転数に応じて回転して送風を行う。同様に、第１ケーシング１２内の温度が第２所定の温度より高い場合、第１ファン８及び第２ファン９は、第２回転数に応じて回転して送風を行う。続いて、このように類推する。つまり、第１ケーシング１２内の温度条件は、複数のレベルに分けられてもよい。第１ファン８及び第２ファン９についても複数のレベルを設定する。これにより、放熱効果を保証し、省電力を更に実現させる。
【００４４】
ここで、温湿度センサは、一体集積式構造であってもよく、温度センサと湿度センサの組み合わせ構造であってもよい。
【００４５】
一実施例において、第１ケーシング１２内に乾燥ボックス１０、駆虫ボックス１１又は駆虫灯のうちの少なくとも１つが設けられる。これにより、第１ケーシング１２内部の乾燥を保持するか又は第１ケーシング１２の周辺に対して駆虫を行い、蚊による第１ケーシング１２の腐食を減少させる。
【００４６】
ここで、第１ケーシング１２内に、複数の乾燥ボックス１０、駆虫ボックス１１又は駆虫灯が設けられてもよく、ケーシング内のスペースに応じて選択されてもよい。図３に示すように、第１ケーシング１２内に複数の乾燥ボックス１０及び複数の駆虫ボックス１１が設けられ、且つ、乾燥ボックス１０と駆虫ボックス１１はそれぞれ、第１ケーシング１２の対角隅に設けられる。これにより、十分な乾燥及び十分な駆虫を行う。
【００４７】
勿論、第２ケーシング内に乾燥ボックス１０、駆虫ボックス１１又は駆虫灯のうちの少なくとも１つが設けられてもよい。これにより、乾燥及び駆虫を行う。
【００４８】
それと同時に、全面的に駆虫を行うために、第１ケーシング１２及び第２ケーシングに、駆虫コーディング層が更に設けられてもよい。
【００４９】
一実施例において、図１及び図２に示すように、情報収集機器は、ガイドレール３を更に備える。ガイドレール３に情報収集装置１が接続され、ガイドレール３に複数の充電ビン２が設けられ、充電ビン２は、ガイドレール３の延伸方向に沿って貫通する。つまり、充電ビン２の両端は開口される。情報収集装置１は、ガイドレール３により案内される経路に沿って移動する。ガイドレール３に複数の充電ビン２が設けられる。これにより、情報収集装置１は、複数の箇所で充電を行うことができる。また、充電ビン２の貫通により、情報収集装置１は充電ビン２を通過することができる。充電ビン２は、情報収集装置１の運動を妨害せず、情報収集装置１の充電の柔軟性を向上させる。充電ビン２の取付は容易である。
【００５０】
ガイドレール３は、環状ガイドレール又は直線状ガイドレールであってもよく、必要に応じて選択されてもよい。ガイドレール３が直線形ガイドレールである場合、充電ビン２は、ガイドレール３の両端に設けられてもよい。この場合、情報収集装置１は、充電ビン２を通過する必要がない。従って、充電ビン２は、情報収集装置１の充電ビン２への進入に供するために、一端が開口されるように設けられてもよい。
【００５１】
更に、情報収集装置１の駆動部材として、一般的にはモータを用いる。モータにより、ローラをガイドレール３に沿って転がるように駆動することで、情報収集装置１の移動を実現させる。モータとローラを組み合わせて利用することで、情報収集装置１の体積を小さくし、エネルギー消費を少なくし、運転距離を増加することもできる。
【００５２】
一実施例において、タグ６は、ガイドレール３に設けられる無線周波数認識タグ６であり、リーダ７は、情報収集装置１に設けられる。無線周波数認識タグは、リーダ７に適応したものであり、技術が成熟しており、コストが低い。ここで、無線周波数認識タグは、ガイドレール３の、充電ビン２に対応する箇所に設けられ、充電ビン２の位置を認識する。
【００５３】
更に、ガイドレール３に複数のタグ６が設けられる。複数のタグ６は、飼育場内の異なる領域に対応する。情報収集装置１は、リーダ７を持つ。これにより、情報収集装置１により収集された情報を正確に記録し、取付しやすく、コストの低減に寄与する。
【００５４】
一実施例において、情報収集装置１は、デプスカメラを含む。デプスカメラにより得られた画像情報によれば、豚の体型、寸法などの情報を得ることができる。それと同時に、情報収集装置１は、他の方式により、豚の飲食、体重などの情報を収集し、多くの点で、豚の成長情報をフィードバックすることもできる。ここで、デプスカメラとして、Ｐｅｒｃｉｐｉｏ  ＤＭ４３０を用いることができ、勿論、他の機種のデプスカメラを用いることもできる。
【００５５】
ここで、情報収集装置１内の受信アセンブリ５及び蓄電デバイスは、デプスカメラを遮ってはいけない。これにより、デプスカメラが画像を正確に収集することを保証する。受信アセンブリ５の受信コイルは、デプスカメラと共に第２ケーシング内に並置されてもよい。
【００５６】
上記実施形態は、本考案を説明するためのものに過ぎず、本考案を限定するものではない。実施例を参照しながら本考案を詳しく説明したが、本考案の技術的解決手段に対して行われる種々の組み合わせ、修正又は均等物による置換がいずれも本願の各実施例の技術的解決手段の範囲から逸脱するものではなく、本実用新案登録請求の範囲に含まれることは、当業者であれば、理解すべきである。
【符号の説明】
【００５７】
１  情報収集装置、２  充電ビン、３  ガイドレール、４  送信アセンブリ、５  受信アセンブリ、６  タグ、７  リーダ、８  第１ファン、９  第２ファン、１０  乾燥ボックス、１１  駆虫ボックス、１２  第１ケーシング
【図１】
0003232750.tif 000003
【図２】
0003232750.tif 000004
【図３】
0003232750.tif 000005